(57)【要約】      （修正有）【課題】入手が容易な天然素材で安価に製作することができ、しかも容易に焼却処理できる造花を提供する。【解決手段】枝部２と、枝部２に固定された花部６および／または葉部３を備えた造花であって、この造花は、全体が、焼却しても有害ガスを生じることのない天然素材のみで形成されている。安全に焼却処理することができ、また、天然素材のみで形成されているため針金等を分別除去する必要もなく、使用済み後に焼却して、容易に処理することができる。【選択図】図１
0003162444.tif 000002
【実用新案登録請求の範囲】
【請求項１】
枝部と、該枝部に固定された花部および／または葉部を備えた造花であって、
該造花は、全体が、焼却しても有害ガスを生じることのない天然素材のみで形成されていることを特徴とする造花。
【請求項２】
前記枝部，花部，葉部の全部または一部が紙製であることを特徴とする請求項１に記載の造花。
【請求項３】
前記枝部，花部，葉部の全部または一部が竹製であることを特徴とする請求項１に記載の造花。
【請求項４】
前記枝部，花部，葉部の全部または一部が木製であることを特徴とする請求項１に記載の造花。
【請求項５】
前記造花が、仏壇用等の仏事に用いられるものであることを特徴とする請求項１または請求項２または請求項３または請求項４に記載の造花。
【請求項６】
前記造花が、神棚用等の神事に用いられるものであることを特徴とする請求項１または請求項２または請求項３または請求項４に記載の造花。
【請求項７】
前記造花が、室内用のものであることを特徴とする請求項１または請求項２または請求項３または請求項４に記載の造花。
【考案の詳細な説明】
【技術分野】
【０００１】
本考案は、天然素材からなる造花に関するものである。
【背景技術】
【０００２】
従来、特許文献１に開示されているように、おしべ，めしべ等の細長い部分および花片を和紙で作成した和紙製造花が存在する。
【先行技術文献】
【特許文献】
【０００３】
【特許文献１】実公昭６３−４４４１４号公報
【考案の概要】
【考案が解決しようとする課題】
【０００４】
上記特許文献１に開示されている和紙製造花は、和紙自体の有する美感のある花に関するものであり、枝等の部分には針金を使用することがあり、葉の部分等はポリエステル製のものにすることがあるため、使用済みになった造花を焼却処分する際に、焼却に際し有害ガスが生ずることがあり、また、針金等は燃え残るために、別途、針金等は除去しなければならないという問題点があった。
【課題を解決するための手段】
【０００５】
本考案は、焼却処理しても有害ガスが生ずることがなく、また、針金等の分別除去を行う必要もなく、使用済み後の処理が極めて容易となる造花の提供を目的とし、この目的の少なくとも一部を達成するために以下の手段を採った。
本考案は、枝部と、該枝部に固定された花部および／または葉部を備えた造花であって、該造花は、全体が、焼却しても有害ガスを生じることのない天然素材のみで形成されていることを要旨とする。
【考案の効果】
【０００６】
本考案の造花は、焼却しても有害ガスを生じることのない天然素材のみで形成されているため、有害ガスが生じることなく、安全に焼却処理することができ、また、天然素材のみで形成されているため針金等を分別除去する必要もなく、使用済み後に焼却して、容易に処理することができるものとなる。
【０００７】
また、本考案の造花において、前記枝部，花部，葉部の全部または一部が紙製であるものとすることもできる。
こうすれば、造花は紙製であるため加工も容易であり、色付け等して種々の造花を安価に形成させることができ、また、使用済み後には容易に焼却処理することができるものとなる。
【０００８】
また、本考案の造花において、前記枝部，花部，葉部の全部または一部が竹製であるものとすることもできる。
こうすれば、竹片から安価に種々の形状の造花を形成させることができ、また、使用後には容易に焼却して処理することができるものとなる。
【０００９】
また、本考案の造花において、前記枝部，花部，葉部の全部または一部が木製であるものとすることもできる。
こうすれば、木片から安価に造花を形成することができ、また、使用済み後には容易に焼却処理することができるものとなる。
【００１０】
また、本考案の造花は、仏壇用等の仏事に用いられるものであるものとすることもできる。
こうすれば、仏事用に用いられる菊の花等やしきび等を、紙，竹，木等の天然素材を用いて形成させ、使用後には容易に焼却処理することができるものとなる。
【００１１】
また、本考案の造花は、神棚用等の神事に用いられるものであるものとすることもできる。
こうすれば、神事に用いられる榊等を紙，竹，木等の天然素材で容易に形成させることができ、また、使用後には容易に焼却して処理することができるものとなる。
【００１２】
また、本考案の造花は、室内用のものであるものとすることもできる。
こうすれば、室内装飾用のバラやランなどの花を紙，竹，木等の天然素材で製作することができ、また、使用済み後には容易に焼却して処理することができるものとなる。
【図面の簡単な説明】
【００１３】
【図１】仏事に用いられる菊等の花としきびを組み合わせた造花束の一例を示す正面構成図である。
【図２】仏事用の造花束の側面構成図である。
【図３】しきびの造花束の正面構成図である。
【図４】菊の造花の要部構成図である。
【考案を実施するための形態】
【００１４】
次に、本考案を実施するための形態を実施例を用いて説明する。
図１は、仏前や墓前に供えられる仏事用の造花束の一例を示す正面図であり、図２は、側面概略図である。
この仏事用の造花束は、しきびの造花１と、菊等の花の造花４を、組み合わせたものであり、全て紙，竹，木，その他植物等の天然素材（自然素材）で作られている。
なお、図３は、しきびの造花１を束にしたものを示しており、また、図４は、菊の造花４の要部を示している。
【００１５】
図３のしきびの造花１は、枝部２に多数の葉部３，３，３を固定したものであり、枝部２は竹ひごを芯材として用いており、竹ひごの外周に緑色に着色した紙材を巻回して枝部２が形成されており、この枝部２は、太い枝部分から複数に分岐した小枝が形成され、各小枝も竹ひごの外周に緑色に着色した紙を巻回させて形成されて、太い枝と小枝は、紙を外周に巻回させて連結されており、小枝の先端に葉部３が連結固定されている。
【００１６】
この葉部３は、紙で形成されており、紙に葉脈をエンボス状に加工して現実のしきびの葉とそっくりに形成されており、緑色に着色されている。
なお、複数本の枝部２，２の根元の外周には紙テープ８を巻回させて、この紙テープ８により複数のしきびの造花１が束状に形成されている。
【００１７】
なお、枝部２と葉部３を連結するために、接着剤を塗布した紙を貼り付けても良く、また、枝部２に対し葉部３を接着剤で直接取り付け固定しても良い。
なお、接着剤は天然素材から作った糊を用いることが好ましい。また、緑色に着色する着色材も天然の植物等から作られたものが用いられる。
【００１８】
この図３では、仏事に用いるしきびを示しているが、神事に用いる榊においても、同様に、竹ひごの芯材を用いた枝部２に、多数の紙製の葉部３を固定して製作することができ、図３のように、紙テープ８で複数本の榊を束状にして神棚に供えることができるものである。
【００１９】
なお、図４に示す菊４の造花は、竹ひごの芯材の外周に緑色に着色した紙を巻回させて枝部５が形成されており、枝部５に、複数の紙製の葉部７，７，７と花部６が固定されている。
紙製の葉部７は、紙を外周に巻回させて枝部５に連結したものであっても良く、また、花部６は、その中心部に枝部５の先端部を差し込む等して連結したものであっても良い。
この菊の花部６は、紙製であっても、木製であっても、竹製のものであっても良い。例えば川辺の葦科の植物を薄く輪切り状にして、輪切り状にした植物片を用いて花部６の花片が形成され、或いは、薄く削り取った植物片を湾曲させて花片が形成されている。
また、花部６のオシベ，メシベ，花芯は、紙，竹，木，その他、植物等の天然素材（自然素材）を加工して形成されている。
【００２０】
なお、花片を湾曲させる際には、例えば湾曲させる部分に水を塗り、所定形状に曲げながら乾燥させることで、所定の菊状の花片に形成することができる。また、湾曲させる部分に適宜熱を加えることによっても、所定形状の花びら状に曲げ加工することができるものである。
なお、同様に、前記枝部５を所定形状に曲げ加工する際には、曲げる部分を適宜加熱するか、或いは、曲げる部分に水分を与えて乾燥させることで、良好に曲げ加工することができるものである。
【００２１】
なお、本例の菊の造花４の花部６は、紙，竹，木，その他、植物等の天然素材（自然素材）を複数種類用いて形成したものであっても良い。また、枝部５は、竹ひごを用いる場合の他、紙の芯材で形成したものであっても良い。
なお、仏事用には図４の菊の造花４が用いられるが、神事用には図３のような花のない榊の造花が用いられる。
【００２２】
さらに室内の装飾用のバラやランなどの花の造花においても、枝部は、竹や木を用いて製作することができ、また、花の部分は、紙や薄い木片等を用いて所定の花形状に形成させ、適宜天然素材の着色材で着色して、任意の色の花部とすることができる。
なお、さらには、南天の実などの造花においては、紙の粘土を用い、これに赤く着色して、南天の実などの造花を形成させることもできる。
【００２３】
このように仏事や神事に用いられる造花、或いは室内装飾用に用いられる造花は、全て紙，竹，木，その他、植物等の天然素材（自然素材）で形成されており、従来のような針金製の枝部やポリエステル製の花や葉ではないため、使用済み後に焼却しても有害ガスが生ずることはなく、環境に与える負荷を軽減させることができて、容易に焼却処理することができるものであり、焼却後には従来のように針金等が残ることはないために後片付けも非常に楽なものとなる。
なお、さらには、全て天然素材で形成された造花であるため、土に埋めても害になることはなく、自然に腐敗して肥料等になるものである。
【００２４】
このように本例の造花は、入手が容易な紙，竹，木，その他、植物等の天然素材（自然素材）で安価に形成させることができ、しかも、有害ガスを発生させることなく良好に焼却処理することができるものである。
【符号の説明】
【００２５】
１  しきびの造花
２  枝部
３  葉部
４  菊の造花
５  枝部
６  花部
７  葉部
８  紙テープ
【図１】
0003162444.tif 000003
【図２】
0003162444.tif 000004
【図３】
0003162444.tif 000005
【図４】
0003162444.tif 000006